(57)【要約】      （修正有）【課題】個々の機能を選択的に実施するための複数のセンサと、複数の機能を同時に実施することができる光源を使用し、空気中に浮遊する殺菌、ウイルス、アレルゲン、カビ菌、化学物質、臭い成分を効率的に殺菌、分解、不活化、溶菌、脱臭することができる、低コストで小型化された装置を提供すること。【解決手段】殺菌と、オゾン発生と、光触媒励起と、オゾン分解と、活性酸素を基底状態酸素分子に分解することに有効な光を発する機能を有する発光素子のうち少なくとも２種類以上の発光素子を有し、各発光素子がお互いに並列に接続されている半導体発光ユニットを複数種類、複数個用い、さらに、臭いセンサや塵センサやＣｄｓセンサの検出結果と制御部を組み合わせ、送風機の風速、オゾン発生量の増減をさせ、複数種類の運転モードに切り換えることで効率的な殺菌、分解、不活化、溶菌、脱臭が可能となる。【選択図】なし【特許請求の範囲】
【請求項１】
オゾン発生に有効な光を発する機能を有する発光素子、オゾン分解に有効な光を発する機能を有する発光素子、光触媒に有効な光を発する機能を有する発光素子、殺菌に有効な光を発する機能を有する発光素子、赤外線波長光を発する機能を有する発光素子、活性酸素を基底状態酸素分子に分解することに有効な光を発する機能を有する発光素子のうち少なくとも２種類以上の発光素子を構成する半導体発光ユニットからなる、前記半導体発光ユニットを少なくとも１種類、あるいは複数種類からなり、前記半導体発光ユニットを複数個設けた、さらに、空気中に浮遊する粒子を検出する粒子検出手段と、臭い成分を検出する臭い検出手段と、明るさを検出する（Ｃｄｓ素子）Ｃｄｓ検出手段の内、いずらか一つまたはその組み合わせとした検出手段に基づき、発光させる半導体発光ユニットの種類と半導体発光ユニットの数を制御する制御部とを備えていることを特長とする。空気清浄機、空気殺菌・脱臭装置、空気殺菌・脱臭・集塵装置、空気調節装置。
【請求項２】
オゾン発生に有効な光を発する機能を有する発光素子、オゾン分解に有効な光を発する機能を有する発光素子、光触媒に有効な光を発する機能を有する発光素子、殺菌に有効な光を発する機能を有する発光素子、赤外線波長光を発する機能を有する発光素子、活性酸素を基底状態酸素分子に分解することに有効な光を発する機能を有する発光素子のうち少なくとも２種類以上の発光素子を構成する半導体発光ユニットからなる、前記半導体発光ユニットを少なくとも１種類、あるいは複数種類からなり、前記半導体発光ユニットを複数個設けた、さらに、空気中に浮遊する粒子を検出する粒子検出手段と、臭い成分を検出する臭い検出手段と、明るさを検出する（Ｃｄｓ素子）Ｃｄｓ検出手段の内、いずらか一つまたはその組み合わせとした検出手段において、前記検出手段で検出された値に応じて、室内の空気を浄化する能力を小より大、大より小に制御する機能をそなえていることを特徴とする。空気清浄機、空気殺菌・脱臭装置、空気殺菌・脱臭・集塵装置、空気調節装置。
【請求項３】
前記オゾン発生に有効な光を発する機能を有する発光素子が、発光波長１１０ｎｍ〜２００ｎｍの発光素子である請求項１、２記載の半導体発光ユニット。
【請求項４】
前記殺菌に有効な光を発する機能を有する発光素子が、発光波長１５０ｎｍ〜１７０ｎｍの発光素子である請求項１、２記載の半導体発光ユニット。
【請求項５】
前記赤外線波長光に有効な光を発する機能を有する発光素子が、発光波長７８０ｎｍ〜１０００ｎｍの発光素子である請求項１、２記載の半導体発光ユニット。
【請求項６】
前記活性酸素を基底状態酸素分子に変換することに有効な光を発する機能を有する発光素子が、発光波長３００ｎｍ〜４００ｎｍの発光素子である請求項１、２記載の半導体発光ユニット。
【請求項７】
前記光触媒に有効な光を発する機能を有する発光素子が、発光波長３００ｎｍ〜６５０ｎｍの発光素子である請求項１、２記載の半導体発光ユニット。
【発明の詳細な説明】
【技術分野】
【０００１】本発明は、活性酸素を発生させることのできる空気清浄装置に関し、特に、殺菌紫外線発光体及びオゾン発生体、オゾン分解紫外線発光体、光触媒を空気中に浮遊する細菌、臭い、化学物質、ウィルス、花粉等を殺菌、不活化、脱臭、捕集溶菌することを可能ならしめる機構を備える空気清浄機、殺菌装置、空気殺菌装置、空気殺菌・脱臭装置、空気殺菌・脱臭・集塵装置、空気調節装置に関する。ここで不活化とは、ウィルスの活動を低下させることを意味する。【０００２】本発明に係わる空気調節装置に該当するものの例としては、空気調和機、除湿器、加湿器、冷蔵庫、ファンヒーター、電子レンジ、洗濯乾燥機、掃除機などがあり、主に、家屋の室内、病院の病室や手術室や待合室、介護施設内、車内、飛行機内、船内、倉庫内などに用いられる。
【背景技術】
【０００２】従来の空気調節装置、殺菌装置、空気殺菌・脱臭装置、空気殺菌・脱臭・集塵装置、空気清浄機等の装置において、殺菌に有効な光を発する機能を有する光源、オゾン発生に有効な光を発する機能を有する光源、オゾン分解に有効な光を発する機能を有する光源、光触媒励起に有効な光を発する機能を有する光源、活性酸素を基底状態酸素分子に分解するために有効な光を発する機能を有する光源等はすべて水銀ランプ等などが用いられる。（今後、前記記載の機能を有する光源をまとめて作用別光源と記載する。）【０００３】水銀ランプ等は高出力タイプほど形状寸法が大きくなる傾向にあり、単位面積あたりの発光照射密度は低くなる。水銀ランプ等を用いると安定器、又は、インバーター電源等が必要となり複数の作用別光源を必要とする装置においては広いスペースが必要となり、また、消費電力が多く、高価になる。また、水銀ランプの寿命が短く・衝撃に弱く・装置の小型化が困難であり、水銀など環境を汚染する恐れのある物質を使用するなどの欠点を有している。オゾン発生体では放電による方式があるが、高電圧が必要となり危険を伴う。また、放電部での帯電圧による汚れや汚れによる放電停止等の故障、ＮＯｘの発生が伴い環境汚染の恐れがある。【０００４】水銀ランプ以外の光源としては、特許文献１、特許文献２、特許文献３、特許文献４において、ダイヤモンド紫外線発光素子の利用が記載されているが、何れにおいても前記記載の作用別光源を機能別に複数同時に実現するためには、複数の半導体発生装置を組み合わせて使用する必要があり、広い設置スペースが必要となり、高価になるといった問題があった。【０００５】一方、従来の発光ダイオードを光源とするものは、特許文献５、特許文献６などがある。特許文献５においては、複数個の同じ作用を有する発光ダイオードを碁盤目状に配置しユニット化してなるＬＥＤユニットであり、個別に個々の作用別光源を選択的に実施できない問題や広い設置スペースが必要となるといった問題があった。特許文献６においては、着色部材、蛍光部材、光触媒、蓄光部材および抗菌部材のうちの１つの部材から選択された少なくとも２つの部材を組み合わせて形成された機能性部材を備えてなるものであり、個々の作用別光源を選択的に（個別に）実施できないといった問題があった。また、強い光源を必要とする装置には発光素子チップを覆う外装部材に殺菌、脱臭、抗菌機能を備える機能性部材を使用された光源は必要とする光力が得られない問題があった。【０００６】従来の装置においては、室内の空気環境状態に応じて通風させる送風機等の回転数を制御し風量調節を行っている。例えば、空気中の花粉除去効果を上げるため風量を強く→弱くする、繰り返し運転などの制御方法や、空気中の臭いの強さを臭いセンサにより検出し、臭い強度に応じ風量を強から順に弱に運転を行う制御方法や、空気中の汚染粒子をセンサにより検出し、粒子経に応じ風量を変化させ運転する制御方法等がおこなわれている。しかし、各作用別機能を持つ光源においては、水銀ランプは特に困難であるが、空気環境状態によって光の照射量や発光位置の移動、２つの機能を有する光源を近距離で同時に発光照射することや、２つの光源の照射量の比率を変化させて空気環境状況に応じた制御を行うことなどが困難であった。
【特許文献１】  特開平４−２４０７８４
【特許文献２】  特開平７−３０７４８７
【特許文献３】  特開平８−３３０６２４
【特許文献４】  特開２００１−８５７３４
【特許文献５】  特許公開平１１−３０９２０２
【特許文献６】  特開平１１−１６３４１７
【発明の開示】
【発明が解決しようとする課題】
【０００７】本発明は係わる実情に鑑みてなされたもので、その目的は、それぞれ異なる機能を実現するための発光素子（作用別光源）を少なくとも２つ搭載し（例えば、殺菌に適した紫外線光源と、オゾン発生に適した紫外線光源とを１つずつ搭載し）、かつ、各光源を並列に配線して１つの半導体発光ユニットを形成することにより、個々の機能を選択的に（個別に）実施することができ、さらに、複数の機能を同時に実施することも可能な半導体発光ユニットを使用することにより、従来装置では困難であった、空気環境状況にあった細かな光源制御をすることができる、水銀ランプ光源のように故障すると全く機能しなくなってしまうことがなくなり、信頼性が低下してしまう問題がなくなり、光源に対して面積の大きい光触媒担持層にも光源の光を面全体に十分に効率よく照射することができる、小型化された装置で低価格な装置を提供することができる。例えば、空気殺菌・脱臭・集塵装置において、空気環境状態が臭いが強い状態であるばあいには殺菌に有効な光を有する光源から、オゾン発生に有効な光を有する光源とオゾンを分解に有効な光を有する光源と、活性酸素を基底状態酸素分子に分解するために有効な光を発する機能を有する光源に切り換えることや、また、各作用別光源の位置を（例えば、装置内に取り入れられた臭い成分を含む空気は、装置出口付近に位置する発光光源を光触媒励起に有効に機能する発光光源から臭い成分に有効に機能する発光光源にする。）切り換えることや、各作用別光源の点灯比率を制御し最も適した構成内容に変化させられること、さらに、複数種類の検出部と組合せによる複数種類の運転モードに切り換えることができる装置を実現させることをその解決すべき課題とする。
【問題を解決するための手段】
【０００８】上記課題を解決するために、本発明の、作用別光源と光源制御部を備えなる装置は、殺菌に有効な光を発する機能を有する光源、オゾン発生に有効な光を発する機能を有する光源、オゾン分解に有効な光を発する機能を有する光源、光触媒励起に有効な光を発する機能を有する光源、活性酸素を基底状態酸素分子に分解するために有効な光を発する機能を有する光源のうち少なくとも２種類の光源を有しており、各作用別光源がお互いに並列に接続されたものである、作用別光源で構成された半導体発光ユニットで構成される。
【０００９】この場合、前記殺菌に有効な光を発する機能を有する光源としては、発光波長２００ｎｍ〜２７０ｎｍの光源が好適である。また、前記オゾン発生に有効な光を発する機能を有する光源としては、発光波長１１０ｎｍ〜１９０ｎｍの光源が好適である。さらに、オゾン分解に有効な光を発する機能を有する光源としては、発光波長２３０ｎｍ〜３７０ｎｍの光源が好適である。光触媒励起に有効な光を発する機能を有する光源としては、発光波長２００ｎｍ〜４５０ｎｍの光源が好適である。活性酸素を基底状態酸素分子に分解するために有効な光を発する機能を有する光源としては、発光波長３００ｎｍ〜４００ｎｍの光源が好適である。
【００１０】この発明のある局面に従う空気調節装置、殺菌装置、空気殺菌装置、空気殺菌・脱臭装置、脱臭装置、空気殺菌・脱臭・集塵装置は、作用別光源と作用別光源を制御する制御部を備え、さらに、空気中に浮遊する粒子の経を検出する粒子検出部と、空気中の臭い成分を検出する臭い検出部と、室内の明るさを検出するＣｄｓ検出部のうちの１つか、又は、複数個、備えた検出部からなる。
【００１１】空気中の臭い成分を検出する量に応じて、運転モードの種類を切り換える。したがって、空気中の臭い成分量か比較的多いいときは、オゾン発生に有効な光を発する機能を有する光源と、オゾン分解に有効な光を発する機能を有する光源と、活性酸素を基底状態酸素分子に分解するために有効な光を発する機能を有する光源を最も多くし、送風機の回転数を「強」とし臭い成分量に応じ「弱」モードに順次切り換える機能を併せ持つ、空気中の臭い成分分解を主とする脱臭運転モードに切り換える。
【００１２】空気に浮遊する粒子経が花粉の粒子経に該当するときは、殺菌に有効な光を発する機能を有する光源と、光触媒励起に有効な光を発する機能を有する光源の合計比率を３とし、オゾン発生に有効な光を発する機能を有する光源と、オゾン分解に有効な光を発する機能を有する光源と、活性酸素を基底状態酸素分子に分解する光を発する機能を有する光源の合計比率を２とする、送風機の回転数を一定の間「強」とし、一定時間後「弱」に切り換える運転を交互に繰り返すモード機能を併せ持つ、殺菌運転モードに切り換える。
【００１３】空気に浮遊する粒子経がタバコの煙に該当する粒子経を粒子検出部により検出されたばあいは、臭い成分を伴うため、臭い成分を検出する臭い検出部により臭い成分も同時に検出される。よって、検出初期の段階では送風機の回転数を最も高い「ターボ」モードに切り換え、煙の拡散する前に装置内の集塵フィルタにより除去する。その後、第２段階として臭い成分分解を主とする脱臭運転モードに切り換える。（タバコ運転モード）
【００１４】空気中の臭い成分を検出する検出部により臭い成分が検出されないときは、オゾン発生に有効な光を発する機能を有する光源と、オゾン分解に有効な光を発する機能を有する光源の合計比率を２とし、光触媒励起に有効な光を発する機能を有する光源と、活性酸素を基底状態酸素分子に分解するために有効な光を発する機能を有する光源との合計比率を３とする運転モードに切り換えることによりオゾン発生量を抑制し、消費電力の削減ができる。（消費電力抑制運転モード）
【００１５】夜間においては、Ｃｄｓ検出部により夜間であることが検出され、オゾン発生に有効な光を発する機能を有する光源と、オゾン分解に有効な光を発する機能を有する光源と、活性酸素を基底状態酸素分子に分解するために有効な光を発する機能を有する光源のすべてを光触媒励起に有効な光を発する機能を有する光源に切り換えることにより、夜間の間に光触媒担持層の自己回復をおこなう。（夜間運転モード）
【００１６】この発明のあるその他の局面に従う冷蔵庫、掃除機は、作用別光源と作用別光源を制御する制御部を備え、さらに、空気中の臭い成分を検出する臭い検出部と、成長促進成分を検出する検出部とを備えた検出部のうの１つか、または、双方の検出部を備える。
【００１７】これらの装置においては、比較的狭いスペースに設置する必要があり、本発明を用いることが好適である。例えば、冷蔵庫内の特に野菜類等の保管場所である野菜庫から放出される成長促進成分がセンサ検出部において検出されると、光触媒担持層からなるガス分離部材と半導体発光ユニットの中の光触媒励起に有効な光を発する機能を有する発光素子Ａだけを発光させることにより、成長促進成分を除去する運転モードに切り換える。野菜等の長期保存を可能にする。
【００１８】冷蔵庫内の臭い成分が臭い成分検出部により検出されると、半導体発光ユニットの中のオゾン発生に有効な光を発する機能を有する発光素子Ｂだけを発光させる運転モードに切り換えることにより、他の保存物への臭い転写を防止することができる。
【００１９】また、両方の検出部が同時に検出したときは、半導体発光ユニットの中の発光素子Ａ、Ｂ両方を発光させ、成長促進成分の除去と臭い成分の脱臭をおこなうことができる運転モードに切り換える。
【発明の効果】
【００２０】発明によれば、複数種類の検出部と複数種類の作用別光源（半導体発光ユニット）との組み合わせによる、制御部を備える装置は複数種類の運転モードを設定できるため、空気環境状況にあった機能構成が可能となり、効率的に効果を発揮することにより従来機以上の効果と小型、低コストを実現でき、消費電力の削減や光源の寿命による交換費用の削減や廃棄物の削減により環境に優しい装置構成が可能となった。
【発明を実施するための最良の形態】
【００２１】本実施例の半導体発光ユニット１は、オゾン発生に有効な光を発する機能を有する光源として、紫外線ＬＥＤチップ１ａ（発光波長１８５ｎｍ）とオゾン分解に有効な光を発する機能を有する光源として、紫外線ＬＥＤチップ１ｂ（発光波長２５５ｎｍのＧａＡｌＩｎＮ）のそれぞれを、エポキシ基板上に形成された配線用の電極パターンの所定の位置にそれぞれ搭載され、Ａｕ線を用いて所定の電極パターンにワイヤボンドされることによって並列に接続されて、その周辺部をモールドし封止するためにエポキシ樹脂で形成された封止樹脂部とからなるものである。前記、紫外線ＬＥＤチップ１ｂの代わりに、発光波長２３５ｎｍのダイヤモンドＬＥＤチップを用いてもよい。【００２２】本実施例の半導体発光ユニット２は、光触媒励起に有効な光を発する機能を有する光源として、紫外線ＬＥＤチップ１ｃ（発光波長３８０ｎｍのＩｎＧＡＮ）と殺菌に有効な光を発する機能を有する光源として、紫外線ＬＥＤチップ１ｄ（発光波長２５５ｎｍのＧａＡｌＩｎＮ）のそれぞれを、エポキシ基板上に形成された配線用の電極パターンの所定の位置にそれぞれ搭載され、Ａｕ線を用いて所定の電極パターンにワイヤボンドされることによって並列に接続されて、その周辺部をモールドし封止するためにエポキシ樹脂で形成された封止樹脂部とからなるものである。【００２３】本実施例の半導体発光ユニット３は、光触媒励起に有効な光を発する機能を有する光源として、紫外線ＬＥＤチップ１ｅ（発光波長３８０ｎｍのＩｎＧＡＮ）と活性酸素を基底状態酸素分子に分解するために有効な光を発する機能を有する光源として、紫外線ＬＥＤチップ１ｆ（発光波長３６５ｎｍ）のそれぞれを、エポキシ基板上に形成された配線用の電極パターンの所定の位置にそれぞれ搭載され、Ａｕ線を用いて所定の電極パターンにワイヤボンドされることによって並列に接続されて、その周辺部をモールドし封止するためにエポキシ樹脂で形成された封止樹脂部とからなるものである。【００２４】本実施の半導体発光ユニット１、２、３は図４に示す。また、半導体発光ユニットは、図５に示すように、リードタイプの樹脂パッケイジ（リードフレーム２１上に発光素子２２、２３を搭載し、発光素子２２及び２３周辺部をモールドして封止樹脂部２６を形成する構成）も可能である。【００２５】従って、半導体発光ユニットを光触媒励起として単独に機能させたい場合は、紫外線ＬＥＤチップ１ｃだけを発光させ、半導体発光ユニットを臭い脱臭として機能させたい場合は、半導体発光ユニット１の紫外線ＬＥＤチップ１ａと紫外線ＬＥＤチップ１ｂのどちらも発光させ、空気中の臭い成分を脱臭することや、さらに、臭い成分の強さに応じ発光する光源の数を変え、オゾン発生量を制御することやオゾン分解に有効な光を発する機能を有する光源の数を制御することも可能となる。さらに、装置内に配置された半導体発光ユニットを複数種類の検出センサと制御部５との組み合わせにより、あたかも複数種類の光源が独立して複数個配置されているような制御が可能となる。【００２６】本実施例の紫外線ＬＥＤチップは、窒化物系半導体発光素子（窒素物系発光ダイオード、窒素系半導体レーザ）、ダイヤモンド紫外線発光素子、特許公開２００５−１９９６４号広報にて公知されている高出力紫外線発光素子、特許公開２００５−１４５７８８号広報にて公知されている高輝度紫外線発光六方晶窒化ホウ素単結晶からなる半導体発光素子などの何れの発光素子でもよい。また、今後研究開発されるであろう紫外線発光素子であってもよく、前記記載の発光素子に限定するものではない。【００２７】本実施例の空気中の臭い成分を検出することができる検出部９は、金属酸化物半導体からなるセンサ表面にガス成分が吸着すると抵抗値が変化することを利用した周知のもので、室内及び装置設置周辺の臭い成分を検出して臭い検出信号を電圧レベルとしてセンサ判定部７へ入力する、入力された検出レベル（電圧レベル）は予め設定したレベル（値）との差に基づいて臭い成分レベルを判定し、判定結果を制御部に与える。制御部５はセンサ判定部７から与えられた判定結果に基づき運転モードに従い運転制御おこなう。【００２８】本実施例の塵センサ４は、周知のものであって発光素子と受光素子の組み合わせにより、空気中の浮遊粒子を検出し検知結果をセンサ出力としてセンサ判定部７に出力する。センサ判定部７は入力されたパルス列の時間的推移に基づき検出状態（空気中に浮遊する粒子の大きさにより粒子の種類と濃度を特定する）を判定し、判定された種類の粒子データを予め設定されているデータと比較判定し、判定結果を制御部５に与える。制御部５は与えられた判定結果に基づき運転モードに従い運転制御おこなう。【００２９】本実施例の光センサ（Ｃｄｓ）８は、周知のものであって可視光波長の光を受光する受光素子により、設置周辺の明るさを検出し検知結果を電圧レベルとしてセンサ判定部７に出力する。センサ判定部７は入力された電圧レベルを予め設定したレベルと比較し、検出レベル＞設定レベル  のときは昼間と判断し、検出レベル＜設定レベルのときは夜間と判断し、判定結果を制御部５に与える。制御部５はセンサ判定部７から与えられた判定結果に基づき運転モードに従って運転制御をおこなう。【００３０】以上の構成において、空気殺菌・脱臭・集塵装置の運転動作が図１のフローチャートに示される。このフローチャートに従う手順はプログラムを実行することにより実現されて、該プログラムは制御部５の図示されない内部メモリに格納されて制御部５の図示されないＣＰＵ（Ｃｅｎｔｒａｌ  Ｐｒｏｃｅｓｓｉｎｇ  Ｕｎｉｔ）により読出されながら実行される。【００３１】『自動運転』での動作を図１のフローチャートに従って説明する。まず、ユーザは本体１の操作部２の『運転入−切』ボタン３を操作するので制御部５は、該操作の指令信号をスイッチ判定部６を介して入力される、該指令信号に基づいて『自動運転』で運転を開始する。（ステップＳＴ以下、単にＳＴと略す）。このとき、塵センサ４の検知信号はセンサ判定部７に与えられ、センサ判定部７は入力した検知信号に基づいた判定をして判定結果を制御部５に出力する。【００３２】制御部５は与えられた判定結果に基づき、例えば、粒子が検出されたか否かを判定する。判定結果が予め設定されているレベルＡ以下に該当する値Ａ１を示した場合には粒子は検出されなかったと判定して、殺菌レベル１（最も殺菌能力の低いモードをレベル１以下、単に殺菌レベル１と略す）とし、作用別光源を全て殺菌に有効な光を発する機能を有する光源に切り換え、さらに、発光光源の数を最も少ない数として低消費電力にて制御する、消費電力抑制運転モードとする。【００３３】判定結果か値Ａ１を示さなければ、判定結果は値Ｂ以上を示すか否か判定する。例えば、値Ｂ２が花粉の粒子経に該当する場合は、値Ｂ以上を示すと判定されると、制御部５は殺菌レベル３（最上段階の殺菌能力をレベル３以下、単に殺菌レベル３と略す）とし、前述したように殺菌運転モードとする。粒子経が１０ｉｍ以上のカビ、浮遊菌、花粉などの比較的大きな粒子にたいしても十分な増殖防止、分解、殺菌作用を及ぼすことができる。【００３４】判定結果が値Ｂ以上を示さなければ、制御部５はセンサ判定部７から入力した判定結果が臭い有りを示すか否かを判定する。臭いがなければ制御部５は殺菌レベル２とし、作用別光源を全て殺菌に有効な光を発する機能を有する光源に切り換え、さらに、発光光源の数を二番目に少ない数とした殺菌レベル２運転モードとする。【００３５】一方、臭いがあれば、制御部５はセンサ判定部７の判定結果を入力して塵センサ４の検出結果が値Ｃ以上値Ｂ以下を示すか否か判定する。ここで値Ｃ１はタバコの煙の粒子経に該当する場合とする。【００３６】判定結果がＣ値以上Ｂ値以下を示さなければ、制御部５は前述したように脱臭運転モードとする。【００３７】一方、判定結果がＣ以上Ｂ以下を示す場合には、制御部５は前述したようにタバコ運転モードとする。粒子経が１ｉｍ〜１０ｉｍの領域に属する種類の粒子、例えばタバコの煙粒子を対象にして作用が及ぶようにする。【００３８】本実施の形態におけるオゾン発生半導体発光ユニットで発生するオゾン量は、空気中に占めるオゾンの割合を言い、ファンモータ出力と関係する。ここでは、ファンモータ出力を風量で示す、【００３９】まず、各種類の運転モードにおいて好適な風量に制御されるため、オゾン発生半導体発光ユニットの発光個数を固定化すると風速が遅い場合は、オゾン発生半導体発光ユニットを通過する空気の量が少なくなる。このため、実際にオゾン発生半導体発光ユニットが同じ紫外線量を照射している条件であってもオゾン濃度はたかくなる。したがって、余剰オゾン量が増加することになる。また、風速が速い運転モードの場合は、オゾン発生半導体発光ユニットを通過する空気の量が多くなる。このため、オゾン発生半導体発光ユニットが同じ紫外線量を照射している条件であってもオゾン濃度は低くなる。したがって、オゾン量の不足状態になる。【００４０】そこで、本実施の形態では風量を風量１から風量３の３レベルに分類し、各レベルにたいしてオゾン発生半導体発光ユニットの発光個数をそれぞれに割り当て、各種類の運転モードにおける風量レベルに基づきオゾン量を制御することを実現している。【００４１】つまり、制御部５はセンサ判定部７から入力した判定結果で示される、臭いセンサ９や塵センサ４やＣｄｓセンサ８の検知結果に応じて、送風駆動部１２を介ししてファンモータ１３の回転数を制御して風量を（強〜弱・ターボ）に制御する。【００４２】なお、空気殺菌・脱臭・集塵装置（図６）の基本構成については（プレフイルタ・光触媒フイルタ・オゾン発生体・殺菌紫外線ランプ・集塵フイルタ・消臭フイルタ・アパタイト光触媒フイルタ等）、本出願人による特願２００５−１３７８４０号に前記構成による空気殺菌・脱臭装置並びに空気殺菌・脱臭・集塵装置を提案している。この提案においては、紫外線ランプ及び特殊ランプにて提案しているが、十分な小型化、低コスト化、能力アップができなかったため、発明者は鋭意研究を重ねた結果、【００４３】塵センサや臭いセンサの検出結果が示す浮遊粒子経、及び、臭いの強さに応じた作用別光源の選択と使用数量や光源種類の配置と風量の制御により、空気中に浮遊する細菌、ウイルス、花粉、カビ、タバコなどの殺菌・不活化・脱臭・溶菌を効率良く効果的に得られることを発明した。【００４４】本実施例に係わる紫外線殺菌作用と光触媒作用とオゾン分解による活性酸素の脱臭作用の効果と作用について特許文献７に報告されている。【００４５】
【特許文献７】特願２００５−１３７８４０号（段落００１１〜００１７参照）
【特許文献７】特願２００５−１３７８４０号（段落００１９〜００３２参照）
【特許文献７】特願２００５−１３７８４０号（段落００３３〜００３４参照）
【図面の簡単な説明】
【図１】本実施の形態に係わる空気殺菌・脱臭・集塵装置の運転動作を示すフローチャートである。
【図２】本実施の形態に係わる空気殺菌・脱臭・集塵装置の制御基板ブロック構成図である。
【図３】本実施の形態に係わる塵センサ検出態様の一例を示す図である。
【図４】本実施の形態に係わる半導体ユニットの１例を示す断面図である。
【図５】本実施の形態に係わる他の半導体ユニットの１例を示す断面図である。
【図６】本実施の形態に係わる空気殺菌・脱臭・集塵装置の一例を示す断面図である。
【符号の説明】
１基板
２操作部
３運転ボタン
４塵センサ
５制御部
６スイッチ判定部
７センサ判定部
８明るさセンサ
９臭いセンサ
１０光源駆動部
１１半導体ユニット
１２送風駆動部
１３送風機
２０半導体ユニット
２１リードフレーム
２２、３３紫外線ＬＥＤチップ
２３、３５紫外線ＬＥＤチップ
２５、３６Ａｕ線
２６封止樹脂部
２７封止樹脂部
３０封止樹脂部
３１エポキシ基板
３２電極パターン
３７半導体ユニット
５０プレフィルタ
５１遮断及び反射・流量調整板
５２半導体発光ユニット１
５３光触媒担持層Ａ
５５、５７半導体発光ユニット２
５６、５８アパタイト光触媒担持層Ｂ
５９半導体発光ユニット３
６０殺菌酵素ＨＥＰＡフイルタ
６１脱臭フィルタ
６２送風機
６３ケーシング
【図１】
2007061579.tif 000002
【図２】
2007061579.tif 000003
【図３】
2007061579.tif 000004
【図４】
2007061579.tif 000005
【図５】
2007061579.tif 000006
【図６】
2007061579.tif 000007
【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
オゾン発生に有効な光を発する機能を有する発光素子、オゾン分解に有効な光を発する機能を有する発光素子、光触媒に有効な光を発する機能を有する発光素子、殺菌に有効な光を発する機能を有する発光素子、赤外線波長光を発する機能を有する発光素子、活性酸素を基底状態酸素分子に分解することに有効な光を発する機能を有する発光素子のうち少なくとも２種類以上の発光素子を構成する半導体発光ユニットからなる、前記半導体発光ユニットを少なくとも１種類、あるいは複数種類からなり、前記半導体発光ユニットを複数個設けた、さらに、空気中に浮遊する粒子を検出する粒子検出手段と、臭い成分を検出する臭い検出手段と、明るさを検出する（Ｃｄｓ素子）Ｃｄｓ検出手段の内、いずらか一つまたはその組み合わせとした検出手段に基づき、発光させる半導体発光ユニットの種類と半導体発光ユニットの数を制御する制御部とを備えていることを特長とする。空気清浄機、空気殺菌・脱臭装置、空気殺菌・脱臭・集塵装置、空気調節装置。
【請求項２】
オゾン発生に有効な光を発する機能を有する発光素子、オゾン分解に有効な光を発する機能を有する発光素子、光触媒に有効な光を発する機能を有する発光素子、殺菌に有効な光を発する機能を有する発光素子、赤外線波長光を発する機能を有する発光素子、活性酸素を基底状態酸素分子に分解することに有効な光を発する機能を有する発光素子のうち少なくとも２種類以上の発光素子を構成する半導体発光ユニットからなる、前記半導体発光ユニットを少なくとも１種類、あるいは複数種類からなり、前記半導体発光ユニットを複数個設けた、さらに、空気中に浮遊する粒子を検出する粒子検出手段と、臭い成分を検出する臭い検出手段と、明るさを検出する（Ｃｄｓ素子）Ｃｄｓ検出手段の内、いずらか一つまたはその組み合わせとした検出手段において、前記検出手段で検出された値に応じて、室内の空気を浄化する能力を小より大、大より小に制御する機能をそなえていることを特徴とする。空気清浄機、空気殺菌・脱臭装置、空気殺菌・脱臭・集塵装置、空気調節装置。
【請求項３】
前記オゾン発生に有効な光を発する機能を有する発光素子が、発光波長１１０ｎｍ〜２００ｎｍの発光素子である請求項１、２記載の半導体発光ユニット。
【請求項４】
前記殺菌に有効な光を発する機能を有する発光素子が、発光波長２００ｎｍ〜２７０ｎｍの発光素子である請求項１、２記載の半導体発光ユニット。
【請求項５】
前記赤外線波長光に有効な光を発する機能を有する発光素子が、発光波長７８０ｎｍ〜１０００ｎｍの発光素子である請求項１、２記載の半導体発光ユニット。
【請求項６】
前記活性酸素を基底状態酸素分子に変換することに有効な光を発する機能を有する発光素子が、発光波長３００ｎｍ〜４００ｎｍの発光素子である請求項１、２記載の半導体発光ユニット。
【請求項７】
前記光触媒に有効な光を発する機能を有する発光素子が、発光波長３００ｎｍ〜６５０ｎｍの発光素子である請求項１、２記載の半導体発光ユニット。
【請求項８】
前記オゾン分解に有効な光を発する機能を有する発光素子が、発光波長２３０ｎｍ〜３００ｎｍの発光素子及び又は、発光波長４００ｎｍ〜５００ｎｍの発光素子である請求項１、２記載の半導体ユニット。
【手続補正２】
【補正対象書類名】明細書
【補正対象項目名】００２４
【補正方法】変更
【補正の内容】
【００２４】本実施の半導体発光ユニット１、２、３は図５に示す。また、半導体発光ユニットは、図４に示すように、リードタイプの樹脂パッケイジ（リードフレーム２１上に発光素子２２、２３を搭載し、発光素子２２及び２３周辺部をモールドして封印樹脂部２６を形成する構成）も可能である。